(57)【要約】【課題】  運動時とくに着地直後における足の踵骨上部のホールド性を向上させる。【解決手段】  ヒールカウンタ１０を備えたシューズ１において、シューズ着用者Ｐの足の踵骨ＣＡの後端に配置されたヒールカウンタ本体部１３と、ヒールカウンタ本体部１３から踵骨ＣＡの下部に沿って、シューズ１の内外甲側のそれぞれ前後方向に延びる下部サポート部１１と、ヒールカウンタ本体部１３から踵骨ＣＡの上部に沿って、シューズ１の内外甲側のそれぞれ前後方向に帯状に延びる上部サポート部１２と、上下部サポート部１１，１２を上下方向に分離するように、上下部サポート部１１，１２間に形成されかつその底部１４ａがヒールカウンタ本体部１３まで延びる切欠き１４とからヒールカウンタ１０を構成する。踵骨ＣＡの荷重中心線Ｇは、上下部サポート部１１，１２および切欠き１４内を通っている。【選択図】  図１
2008206629.tif 000002
【特許請求の範囲】
【請求項１】
シューズのアッパーの踵部にヒールカウンタを備えたシューズにおいて、
前記ヒールカウンタが、
シューズ着用者の足の踵骨の下部に対応する位置において踵骨下部の周りに配設され、シューズの外甲側および内甲側においてそれぞれ実質的に前後方向に延びる下部サポート部と、
シューズ着用者の足の踵骨の上部に対応する位置において踵骨上部の周りに配設され、シューズの外甲側および内甲側においてそれぞれ実質的に前後方向に帯状に延びる上部サポート部と、
前記下部サポート部および上部サポート部を上下方向に連結する連結部と、
前記下部サポート部および上部サポート部を上下方向に分離するように、前記下部サポート部および上部サポート部の間に形成されるとともに、その底部が前記連結部まで延びる切欠きとから構成されている、
ことを特徴とするヒールカウンタを備えたシューズ。
【請求項２】
請求項１において、
前記連結部がシューズの踵後端に配置されてヒールカウンタ本体部を構成しており、前記切欠きの底部が前記ヒールカウンタ本体部まで延びている、
ことを特徴とするヒールカウンタを備えたシューズ。
【請求項３】
請求項２において、
前記ヒールカウンタ本体部のシューズ踵後端から前記切欠き底部までの前後方向長さＬｎが、シューズの表示サイズ足長をＬとするとき、
Ｌｎ＜０．１７×Ｌ
に設定されている、
ことを特徴とするヒールカウンタを備えたシューズ。
【請求項４】
請求項１において、
前記連結部が、前記下部サポート部および上部サポート部の前後方向中間位置に配置されており、前記切欠きの底部が当該連結部まで延びている、
ことを特徴とするヒールカウンタを備えたシューズ。
【請求項５】
請求項１において、
シューズの踵後端における前記上部サポート部の上縁の高さ位置が、シューズのアッパーの履き口の下方に配置されている、
ことを特徴とするヒールカウンタを備えたシューズ。
【請求項６】
請求項１において、
前記切欠きの底部の高さ位置が、シューズのアッパーの踵後端の後方への最突出端位置の高さ位置に一致している、
ことを特徴とするヒールカウンタを備えたシューズ。
【請求項７】
請求項１において、
前記下部サポート部のシューズ踵後端からの前後方向長さＬｌが、シューズの表示サイズ足長をＬとするとき、
Ｌｌ＞０．１７×Ｌ
に設定されている、
ことを特徴とするヒールカウンタを備えたシューズ。
【請求項８】
請求項１において、
前記上部サポート部のシューズ踵後端からの前後方向長さＬｕが、シューズの表示サイズ足長をＬとするとき、
Ｌｕ＞０．１７×Ｌ
に設定されている、
ことを特徴とするヒールカウンタを備えたシューズ。
【請求項９】
請求項１において、
前記上部サポート部がシューズのアッパーの足甲部まで延びており、その先端に靴紐挿通用のハトメ孔が設けられている、
ことを特徴とするヒールカウンタを備えたシューズ。
【請求項１０】
請求項１において、
前記上部サポート部のシューズ踵後端からの前後方向長さＬｕが、シューズの内甲側および外甲側間で異なっている、
ことを特徴とするヒールカウンタを備えたシューズ。
【請求項１１】
請求項１において、
前記上部サポート部の剛性が前記下部サポート部の剛性よりも高くなっている、
ことを特徴とするヒールカウンタを備えたシューズ。
【請求項１２】
請求項１１において、
前記上部サポート部にリブが設けられている、
ことを特徴とするヒールカウンタを備えたシューズ。
【請求項１３】
請求項１において、
前記上部サポート部が、シューズのアッパーに設けられた補強材によって、シューズ外方への変形を抑制されている、
ことを特徴とするヒールカウンタを備えたシューズ。
【発明の詳細な説明】
【技術分野】
【０００１】
本発明は、シューズのアッパー（甲被部）の踵部にヒールカウンタを備えたシューズに関し、詳細には、運動時における足の踵骨上部のホールド性を向上させるためのヒールカウンタの構造の改良に関する。
【背景技術】
【０００２】
シューズの踵部の保形性を確保しつつ、着地時の足の踵部の横ぶれを防止するために、シューズのアッパーの踵部にヒールカウンタを備えたシューズが提供されている。
【０００３】
従来より広く用いられてきたヒールカウンタとしては、足の踵部を包み込むようなカップ形状のものがほとんどであるが、特開昭６４−８９０３号公報や特開昭６４−８９０４号公報に示すような形状のものも提案されている。
【０００４】
特開昭６４−８９０３号公報の第６図および第７図に記載されたヒールカウンタは、シューズの踵部に配置されるヒールカウンタ本体と、その上部においてシューズの履き口に沿って前方に延設されたアンクルサポート部とから構成されている。また、特開昭６４−８９０４号公報の第１０図および第１１図に記載されたヒールカウンタは、シューズの踵部に配置されるヒールカウンタ本体と、その上部においてシューズの履き口に沿って前方に延設されたアンクルサポータと、ヒールカウンタ本体の下部においてシューズのソールに沿って前方に延設されたアーチサポータとから構成されている。
【０００５】
ここで、上記各公報に記載されたヒールカウンタにおけるアンクルサポート部（またはアンクルサポータ）は、足首をより確実に捕捉して運動中の足首部（つまり足の距骨周囲）の安定性を高めるための部材であって（特開昭６４−８９０３号公報の第３頁左下欄第９〜１０行および特開昭６４−８９０４号公報の第３頁右下欄第１５〜１７行参照）、運動時（とくに着地時）における足の踵骨上部のホールド性を高めるようには構成されていない。
【特許文献１】特開昭６４−８９０３号公報（第６図および第７図参照）
【特許文献２】特開昭６４−８９０４号公報（第１０図および第１１図参照）
【発明の開示】
【発明が解決しようとする課題】
【０００６】
本発明は、このような実情に鑑みてなされたものであり、本発明が解決しようとする課題は、運動時における足の踵骨上部のホールド性を向上させることができるヒールカウンタを備えたシューズを提供することにある。
【課題を解決するための手段】
【０００７】
請求項１の発明に係るシューズにおいては、アッパー踵部に設けられたヒールカウンタが、シューズ着用者の足の踵骨の下部に対応する位置において踵骨下部の周りに配設されかつシューズの外甲側および内甲側においてそれぞれ実質的に前後方向に延びる下部サポート部と、シューズ着用者の足の踵骨の上部に対応する位置において踵骨上部の周りに配設されかつシューズの外甲側および内甲側においてそれぞれ実質的に前後方向に帯状に延びる上部サポート部と、下部サポート部および上部サポート部を上下方向に連結する連結部と、下部サポート部および上部サポート部を上下方向に分離するように、下部サポート部および上部サポート部の間に形成されるとともに、その底部が連結部まで延びる切欠きとから構成されている。
【０００８】
請求項１の発明によれば、シューズ着用者の足の踵骨下部は、踵骨下部の周りに配設されて前後方向に延びるヒールカウンタの下部サポート部により保持され、踵骨上部は、踵骨上部の周りに配設されて前後方向に延びるヒールカウンタの上部サポート部により保持される。この上部サポート部により、運動時の足の踵骨上部のホールド性が向上し、これにより、運動時とくに着地直後に生じる足の踵部の横ぶれを確実に規制できるようになる。
【０００９】
これに対して、従来のカップ形状のヒールカウンタにおいては、踵骨上部に沿って前後方向に延びる上部サポート部が設けられていないため、踵骨上部に対するホールド性に乏しい。また、上述した特開昭６４−８９０３号公報および特開昭６４−８９０４号公報に示すヒールカウンタにおいては、足首の周りに沿って前後方向に延びるアンクルサポート部（またはアンクルサポータ）が設けられているが、これは、足首（つまり足の踵骨よりも上方に配置された距骨の周囲）をホールドするためのものである。そして、上記各公報に示すヒールカウンタにおいて、踵骨下部から踵骨上部にかけての形状は、従来のカップ形状のヒールカウンタと同様の形状を有している。したがって、上記各公報に示すものでは、従来のカップ形状のヒールカウンタと同様に、踵骨上部に対するホールド性に乏しい。
【００１０】
しかも、請求項１の発明においては、上下部サポート部を上下方向に分離しつつ上下部サポート部の連結部まで延びる切欠きが上下部サポート部間に形成されているので、運動時とくにシューズ着地直後のソールの変形にともなってシューズのアッパー下部が変形しようとした際には、このアッパー下部の変形が上方に伝播するのをヒールカウンタの切欠きによって遮断しつつ抑制することができる。その結果、ヒールカウンタの上部サポート部がアッパー下部の変形の影響を受けて外側に変形するのを防止でき、これにより、上部サポート部を常時踵骨の上部に密着させることができ、回内時の踵骨の横振れを防止して、運動時の踵骨上部のホールド性を向上できる。このようにして、着地時に生じる足の踵部の横ぶれを一層確実に規制できるようになる。
【００１１】
上下部サポート部を連結する連結部は、請求項２の発明に記載されているように、シューズの踵後端に配置されてヒールカウンタ本体部を構成していてもよい。
【００１２】
この場合には、ヒールカウンタ本体部が踵骨後端の下部から上部まで全体にわたって配設されることになるので、踵骨後端に対するフィット性を向上できる。
【００１３】
請求項３の発明では、ヒールカウンタ本体部のシューズ踵後端から切欠き底部までの前後方向長さＬｎが、シューズの表示サイズ足長をＬとするとき、Ｌｎ＜０．１７×Ｌ  に設定されている。
【００１４】
ここで、シューズ踵後端からの距離が０．１７Ｌの位置は、踵骨の荷重中心線（接地時における着用者の荷重の作用線）の位置と一致している。すなわち、接地時には、シューズ踵後端から０．１７Ｌの距離の位置に全荷重が作用しているとみなすことができる。したがって、着用者がシューズのソール踵後端から着地したとき、ソール踵後端を支点として荷重が荷重中心線に作用していることにより、ソールが荷重中心線の部分で変形し、このソールの変形にともなって荷重中心線の部分でアッパーの下部が変形しようとする。
【００１５】
このとき、ヒールカウンタの切欠き底部（つまりヒールカウンタ本体部の前端部）の位置がシューズ踵後端から０．１７Ｌの距離の位置よりも後方側に配置されており、言い換えれば、踵骨の荷重中心線が切欠き内を通っているので、踵骨の荷重中心線に作用した荷重によるアッパー下部の変形が、ヒールカウンタ本体部を介してヒールカウンタの上部サポート部まで伝播するのが防止できる。別の言い方をすれば、踵骨の荷重中心線に作用した荷重によるアッパー下部の変形を、ヒールカウンタの切欠きによって確実に逃がすことができる。
【００１６】
これに対して、切欠き底部の位置をシューズ踵後端から０．１７Ｌの距離の位置よりも前方側に配置した（すなわち、踵骨の荷重中心線がヒールカウンタ本体部内を通るようにした）場合には、踵骨に作用した荷重によるアッパーの変形がヒールカウンタ本体部を介して上部サポート部に伝播しやすくなる。
【００１７】
上下部サポート部を連結する連結部は、請求項４の発明に記載されているように、下部サポート部および上部サポート部の前後方向中間位置に配置されていてもよい。
【００１８】
この場合には、連結部の後方側において上下部サポート部間に間隙が形成されることになるので、ヒールカウンタを軽量化することができる。
【００１９】
請求項５の発明においては、シューズの踵後端における上部サポート部の上縁の高さ位置が、シューズのアッパーの履き口の下方に配置されている。この場合には、ヒールカウンタの上部サポート部が、シューズのアッパーの履き口の柔軟性を阻害するのを防止できる。
【００２０】
ヒールカウンタの切欠き底部の高さ位置は、請求項６の発明に記載されているように、シューズのアッパー踵後端の後方への最突出端の高さ位置に一致している。
【００２１】
この場合には、切欠き底部の高さ位置を踵骨の後方への最突出端の高さ位置に一致させることができ、これにより、踵骨の上部および下部の動きを効果的にサポートできるようになる。
【００２２】
請求項７の発明においては、下部サポート部のシューズ踵後端からの前後方向長さＬｌが、シューズの表示サイズ足長をＬとするとき、Ｌｌ＞０．１７×Ｌ  に設定されている。
【００２３】
ここで、シューズ踵後端からの距離が０．１７Ｌの位置は、上述したように、踵骨の荷重中心線（接地時における着用者の荷重の作用線）の位置と一致している。したがって、下部サポート部の先端をシューズ踵後端から０．１７Ｌの距離の位置よりも前方側に配置する（換言すれば、踵骨の荷重中心線が下部サポート部内を通るようにする）ことにより、踵骨に作用した荷重によるアッパーの変形を下部サポート部により効果的に規制できるようになる。
【００２４】
請求項８の発明においては、上部サポート部のシューズ踵後端からの前後方向長さＬｕが、シューズの表示サイズ足長をＬとするとき、Ｌｕ＞０．１７×Ｌ  に設定されている。
【００２５】
この場合には、上部サポート部の先端がシューズ踵後端から０．１７Ｌの距離の位置よりも前方側に配置される（換言すれば、踵骨の荷重中心線が上部サポート部内を通る）ので、踵骨の荷重中心線に作用した荷重によるアッパーの変形を上部サポート部により効果的に規制できるようになり、これにより、運動時とくに着地時において上部サポート部による足の踵骨上部のホールド性を向上できる。
【００２６】
請求項９の発明においては、上部サポート部がシューズのアッパーの足甲部まで延びており、その先端に靴紐挿通用のハトメ孔が設けられている。
【００２７】
この場合には、靴紐を緊締することにより、上部サポート部を踵骨上部に密着させることができ、これにより、運動時とくに着地時における足の踵骨上部のホールド性をさらに向上でき、その結果、着地時に生じる足の踵部の横ぶれを一層確実に規制できるようになる。
【００２８】
請求項１０の発明においては、上部サポート部のシューズ踵後端からの前後方向長さＬｕが、シューズの内甲側および外甲側間で異なっている。
【００２９】
この場合には、たとえば、足の回外を防止する場合には、上部サポート部の前後方向長さをシューズの外甲側で長くするようにすればよく、また足の回内を防止する場合には、上部サポート部の前後方向長さをシューズの内甲側で長くするようにすればよい。これにより、競技種目またはシューズ着用者の個体差に応じたシューズを提供できるようになる。
【００３０】
請求項１１の発明においては、上部サポート部の剛性が下部サポート部の剛性よりも高くなっている。
【００３１】
この場合には、上部サポート部が変形しにくくなることにより、上部サポート部による踵骨上部のホールド性をさらに向上でき、着地時に生じる足の踵部の横ぶれをより確実に規制できるようになる。
【００３２】
上部サポート部の剛性を下部サポート部の剛性よりも高くする手法としては、請求項１２の発明のように、上部サポート部にリブを設けたり、あるいは、上部サポート部の肉厚を下部サポート部の肉厚よりも厚くしたり、上部サポート部を下部サポート部とは異なる材料（高剛性材料）から構成したり、上部サポート部を異方性材料から構成したり、上部サポート部を繊維強化プラスチックから構成したり、上部サポート部の硬度を下部サポート部の硬度よりも高くしたりすることが考えられる。
【００３３】
また、請求項１３の発明のように、シューズのアッパーに補強材を設けることによって、上部サポート部のシューズ外側への変形（つまり開き）を抑制するようにしてもよい。
【発明の効果】
【００３４】
以上のように本発明によれば、足の踵骨上部の周りに配設されて前後方向に延びる上部サポート部をヒールカウンタに設けたので、運動時の足の踵骨上部のホールド性を向上でき、とくに着地時に生じる足の踵部の横ぶれを確実に規制できるようになる。しかも、本発明によれば、上下部サポート部を上下方向に分離しつつ上下部サポート部の連結部まで延びる切欠きを上下部サポート部間に形成したので、シューズ着地直後のソールの変形にともなってシューズのアッパーが変形しようとした際に、アッパー下部の変形が上方に伝播するのをヒールカウンタの切欠きによって遮断しつつ抑制することができる。その結果、ヒールカウンタの上部サポート部がアッパーの変形の影響を受けて外側に変形するのを防止でき、これにより、運動時の踵骨上部のホールド性をさらに向上でき、着地時に生じる足の踵部の横ぶれを一層確実に規制できるようになる。
【発明を実施するための最良の形態】
【００３５】
以下、本発明の実施例を添付図面に基づいて説明する。
＜第１の実施例＞
図１および図２は、本発明の第１の実施例によるヒールカウンタが採用されたシューズを説明するための図であって、図１はシューズの内甲側側面断面図、図２は図１のヒールカウンタ部分の拡大図である。
【００３６】
図１に示すように、シューズ１は、ソール２と、その上に固着されたアッパー（甲被部）３と、アッパー３の踵部Ｋに設けられたヒールカウンタ１０とを備えている。なお、図１では、図示の便宜上、アッパー３の縦断面形状が示されている。また、図１には、シューズ着用者Ｐの足の骨格図が併せて示されている。
【００３７】
ヒールカウンタ１０は、シューズ着用者Ｐの足の踵骨ＣＡの下部に対応する位置において踵骨ＣＡの下部の周りに配設され、実質的に前後方向（図１左右方向）に延びる下部サポート部１１と、踵骨ＣＡの上部に対応する位置において踵骨ＣＡの上部の周りに配設され、実質的に前後方向（同図左右方向）に帯状に延びる上部サポート部１２と、上下部サポート部１１，１２を上下方向（同図上下方向）に連結する連結部１３と、上下部サポート部１１，１２を分離するように上下部サポート部１１，１２の間に形成され、その底部１４ａが連結部１３まで延びる切欠き１４とから構成されている。なお、図１中、符号ＴＡは、足の距骨を示している。
【００３８】
図１には表れていないが、上下部サポート部１１，１２は、シューズ１の外甲側にも設けられており、外甲側においても同様に実質的に前後方向に延設されている。この実施例では、外甲側に配設された上下部サポート部１１，１２は、内甲側の上下部サポート部１１，１２と左右対称に配置されており、上下部サポート部１１，１２の前後方向長さは、アッパー３の内甲側および外甲側で等しくなっている。
【００３９】
図１中、点ＣＡ１は、踵骨ＣＡの後方側最突出点を示しており、本願の特許請求の範囲および明細書では、点ＣＡ１を境にして上側部分および下側部分をそれぞれ踵骨ＣＡの上部および下部と定義することにする。
【００４０】
連結部１３は、この例では、シューズ１のアッパー３の踵後端部３０に配置されてヒールカウンタ本体部を構成している。上下部サポート部１１，１２は、それぞれヒールカウンタ本体部１３の上部および下部の位置から前方に延びている。切欠き１４の底部１４ａは、ヒールカウンタ本体部１３まで延びている。また、切欠き１４の底部１４ａの高さ位置は、踵骨ＣＡの後方側最突出点である点ＣＡ１の高さ位置に一致しており、点ＣＡ１は、アッパー３の踵後端の最突出点である点３０ａの高さ位置に一致している。したがって、切欠き１４の底部１４ａは、点３０ａの高さ位置に一致している。
【００４１】
図２に示すように、アッパー３の踵後端の最突出点３０ａからヒールカウンタ本体部１３の切欠き底部１４ａまでの前後方向長さ（すなわちヒールカウンタ本体部１３の前後方向長さ）Ｌｎは、シューズの表示サイズ足長をＬとするとき、
Ｌｎ＜０．１７×Ｌ
に設定されている。
【００４２】
ここで、図２中、上下方向の線Ｇは、アッパー３の踵後端の最突出点３０ａから０．１７×Ｌの距離を示しており、これは、踵骨ＣＡの荷重中心線（すなわち接地時に着用者の全荷重が作用しているとみなし得る荷重作用線）と一致している。したがって、上記不等式は、切欠き底部１４ａが踵骨ＣＡの荷重中心線Ｇの後方に配置されている、言い換えれば、踵骨ＣＡの荷重中心線Ｇが切欠き１４内を通っている、ということを表わしている。
【００４３】
アッパー３の踵後端の最突出点３０ａから下部サポート部１１先端までの前後方向長さＬｌは、シューズの表示サイズ足長をＬとするとき、
Ｌｌ＞０．１７×Ｌ
に設定されている。
【００４４】
上記不等式は、下部サポート部１１先端が踵骨ＣＡの荷重中心線の前方に配置されている、言い換えれば、踵骨ＣＡの荷重中心線が下部サポート部１１を通っている、ということを表わしている。
【００４５】
アッパー３の踵後端の最突出点３０ａから上部サポート部１２先端までの前後方向長さＬｕは、シューズの表示サイズ足長をＬとするとき、
Ｌｕ＞０．１７×Ｌ
に設定されている。
【００４６】
上記不等式は、上部サポート部１２先端が踵骨ＣＡの荷重中心線の前方に配置されている、言い換えれば、踵骨ＣＡの荷重中心線が上部サポート部１２を通っている、ということを表わしている。
【００４７】
シューズ１のアッパー３の踵後端における上部サポート部１２の上縁１２ａの高さ位置は、シューズ１のアッパー３の履き口３１の下方に配置されている。また、アッパー３の踵後端における上部サポート部１２の上縁１２ａの高さ位置は、アッパー３の踵後端部履き口高さＨの７０％の位置よりも上方に配置されている。
【００４８】
すなわち、上縁１２ａの踵後端の点を１２ｅとし、点１２ｅのアッパー下端からの高さをｈとし、アッパー３の履き口踵後端部のアッパー下端からの高さをＨとするとき、
０．７×Ｈ＜ｈ＜Ｈ
に設定されている。
【００４９】
ここで、アッパー下端から（０．７×Ｈ）の高さ位置は、シューズについて各部の寸法の算出方法を規定したいわゆる「かがみ式」を用いて算出したものであるが、着用者の足の踵骨ＣＡの上端位置に相当している。
【００５０】
また、アッパー３の踵後端の最突出点３０ａの高さ位置は、アッパー下端から（０．４×Ｈ）の高さ位置に相当しているが、これは、同様に、上記「かがみ式」を用いて算出したものである。すなわち、最突出点３０ａのアッパー下端からの高さをｈｎとするとき、
ｈｎ＝０．４Ｈ
に設定されている。
【００５１】
なお、ヒールカウンタ１０は、たとえば、熱可塑性ポリウレタン（ＴＰＵ）やポリアミドエラストマー（ＰＡＥ）、ＡＢＳ樹脂等の熱可塑性樹脂、あるいはエポキシ樹脂や不飽和ポリエステル樹脂等の熱硬化性樹脂から構成されている。
【００５２】
次に、本実施例の作用効果について説明する。
上記構成になるシューズ１によれば、シューズ着用者Ｐの足の踵骨ＣＡ下部は、踵骨ＣＡ下部の周りに配設されて前後方向に延びるヒールカウンタ１０の下部サポート部１１により保持され、踵骨ＣＡ上部は、踵骨ＣＡ上部の周りに配設されて前後方向に延びるヒールカウンタ１０の上部サポート部１２により保持される。この上部サポート部１２により、運動時の足の踵骨ＣＡ上部に対するホールド性が向上し、これにより、運動時とくに着地時に生じる足の踵部の横ぶれを確実に規制できるようになる。また、ヒールカウンタ本体部１３によりシューズ着用者Ｐの足の踵骨ＣＡ後端に対するフィット性を向上できる。
【００５３】
また、上下部サポート部１１，１２を上下方向に分離しつつ上下部サポート部１１，１２のヒールカウンタ本体部１３まで延びる切欠き１４が上下部サポート部１１，１２間に形成されているので、運動時とくにシューズ着地直後のソール２の変形にともなってシューズ１のアッパー３下部が変形しようとした際には、このアッパー３下部の変形が上方に伝播するのをヒールカウンタ１０の切欠き１４によって遮断しつつ抑制することができる。その結果、ヒールカウンタ１０の上部サポート部１２がアッパー３下部の変形の影響を受けて外側に変形するのを防止でき、これにより、上部サポート部１２を常時踵骨ＣＡの上部に密着させることができ、回内時の踵骨の横振れを防止して、運動時の踵骨ＣＡ上部のホールド性をさらに向上できる。このようにして、着地時に生じる足の踵部の横ぶれを一層確実に規制できるようになる。
【００５４】
しかも、アッパー３の踵後端の最突出点３０ａからヒールカウンタ本体部１３の切欠き底部１４ａまでの前後方向長さ（すなわちヒールカウンタ本体部１３の前後方向長さ）Ｌｎが、Ｌｎ＜０．１７×Ｌ  に設定されており、接地時の踵骨ＣＡの荷重中心線Ｇが切欠き１４内を通るように切欠き１４の深さが設定されている。
【００５５】
この場合には、着用者Ｐがシューズ１のソール踵後端から着地したとき、ソール踵後端を支点として荷重が荷重中心線Ｇに作用していることにより、ソール２が荷重中心線Ｇの部分で変形し、このソール２の変形にともなって荷重中心線Ｇの部分でアッパー３の下部が変形しようとするが、このとき、踵骨ＣＡの荷重中心線Ｇが切欠き１４内を通っているために、踵骨ＣＡの荷重中心線Ｇに作用した荷重によるアッパー３下部の変形が、ヒールカウンタ本体部１３を通ってヒールカウンタ１０の上部サポート部１２まで伝播するのが防止できる。別の言い方をすれば、踵骨ＣＡの荷重中心線Ｇに作用した荷重によるアッパー３下部の変形を、ヒールカウンタ１０の切欠き１４によって確実に逃がすことができる。
【００５６】
また、アッパー３の踵後端の最突出点３０ａからヒールカウンタ１０の下部サポート部１１の先端までの前後方向長さＬｌが、Ｌｌ＞０．１７×Ｌ  に設定されており、踵骨ＣＡの荷重中心線Ｇが下部サポート部１１内を通るように下部サポート部１１の長さが設定されている。
【００５７】
この場合には、着用者Ｐがシューズ１のソール踵後端から着地したときに、ソール２の変形にともなってアッパー３の下部が変形しようとしたとき、踵骨ＣＡに作用した荷重によるアッパー３の変形を下部サポート部１１により効果的に規制できるようになる。
【００５８】
さらに、アッパー３の踵後端の最突出点３０ａからヒールカウンタ１０の上部サポート部１２の先端までの前後方向長さＬｕが、Ｌｕ＞０．１７×Ｌ  に設定されており、踵骨ＣＡの荷重中心線Ｇが上部サポート部１２内を通るように上部サポート部１２の長さが設定されている。
【００５９】
この場合には、踵骨ＣＡの荷重中心線Ｇに作用した荷重によるアッパー下部の変形がアッパー上部に伝播しようとしたときに、このアッパー上部の変形を上部サポート部１２により効果的に規制できるようになり、これにより、運動時とくに着地時において上部サポート部１２による足の踵骨ＣＡ上部のホールド性をさらに向上できる。
【００６０】
また、上部サポート部１２の上縁１２ａの踵後端の点１２ｅが、アッパー下端から（０．７×Ｈ）の高さ位置の上方に配置されているので、ヒールカウンタ１０の上部サポート部１２が着用者の足の踵骨ＣＡの上部を覆うことができ、上部サポート部１２による踵骨ＣＡのホールド性を向上できるとともに、点１２ａが、シューズ１の履き口３１の下方に配置されていることにより、ヒールカウンタ１０の上部サポート部１２が、シューズ１の履き口３１の柔軟性を阻害するのを防止できる。
【００６１】
なお、ヒールカウンタ１０の上部サポート部上縁１２ａの踵後端における点１２ｅの位置をアッパー下端から略（０．７×Ｈ）の高さに設定し、アッパー３の踵後端の最突出点３０ａの位置をアッパー下端から（０．４×Ｈ）の高さ位置に設定した場合には、ヒールカウンタ１０の切欠き１４の底部１４ａの高さ位置が踵骨ＣＡの上下方向略中央位置に配置されるので、切欠き１４の上下に略均等に上下部サポート部１１，１２を配置することができる。
＜第２の実施例＞
前記第１の実施例では、ヒールカウンタ１０の上下部サポート部１１，１２がシューズ１の内甲側および外甲側において前後方向に同じ長さで配設された、すなわち上下部サポート部１１，１２がシューズ１に左右対称に設けられた例を示したが、本発明の適用はこれには限定されない。
【００６２】
上部サポート部１２のシューズ踵後端からの前後方向長さをシューズの内甲側および外甲側間で異ならせるようにしてもよい。図３は、本発明の第２の実施例によるヒールカウンタ１０の平面概略図である。この第２の実施例では、外甲側の前後方向長さＬｕ’が内甲側の前後方向長さＬｕよりも長くなっている。この場合には、着地時における足の回外を効果的に防止できるようになる。これとは逆に、内甲側の前後方向長さの方を長くした場合には、着地時における足の回内を効果的に防止できるようになる。このようにして、競技種目またはシューズ着用者の個体差に適合したシューズを提供できるようになる。
＜第３の実施例＞
図４は、本発明の第３の実施例によるヒールカウンタを示している。この第３の実施例では、上部サポート部１２がシューズのアッパーの足甲側まで延設されるとともに、その先端に靴紐挿通用のハトメ孔３５が設けられている。
【００６３】
この場合には、靴紐を緊締することにより、上部サポート部１２を踵骨ＣＡ上部に密着させることができ、これにより、運動時とくに着地時における足の踵骨ＣＡ上部のホールド性をさらに向上でき、その結果、着地時に生じる足の踵部の横ぶれを一層確実に規制できるようになる。
＜第４の実施例＞
前記第１の実施例では、上下部サポート部１１，１２を上下方向に連結する連結部１３がシューズ１の踵後端に配置されてヒールカウンタ本体部を構成している例を示したが、本発明の適用はこれに限定されない。
【００６４】
図５は、本発明の第４の実施例によるヒールカウンタを示している。この第４の実施例では、連結部１３’が、上下部サポート部１１，１２の前後方向中間位置に配置されており、連結部１３’の後方には、上下部サポート部１１，１２間の間隙となる窓孔１４’ が形成されている。窓孔１４’は踵後端を通ってシューズ外甲側まで延びている。また、下部サポート部１１の下部に切欠き１５が形成されている。切欠き１４の底部１４ａは連結部１３’まで延びている。この場合には、窓孔１４’および切欠き１５により、ヒールカウンタ１０全体を軽量化することができる。
【００６５】
図６は図５の変形例を示している。この変形例においては、連結部１３’が上下部サポート部１１，１２の前後方向中間位置に配置されている点は図５と同様であるが、連結部１３’の配設方向が上下方向ではなく、斜め方向である点が図５と異なっている。
＜第５の実施例＞
前記第１の実施例では、ヒールカウンタ１０の上下部サポート部１１，１２の剛性が同じものについて示したが、本発明の適用はこれに限定されない。
【００６６】
好ましくは、ヒールカウンタ１０の上部サポート部１２の剛性は、下部サポート部１１の剛性よりも高くなっている。上部サポート部１２の剛性を高くする手法としては、上部サポート部１２の肉厚を下部サポート部１１の肉厚よりも厚くするか、上部サポート部１２にリブ（図示せず）設けるか、あるいは、上部サポート部１２を下部サポート部１１と異なる材料（高剛性材料）から構成するか、上部サポート部１２を異方性材料から構成するか、などが考えられる。異方性材料としては、たとえば、繊維強化プラスチック（ＦＲＰ）がある。また、上部サポート部１２の硬度が下部サポート部１１の硬度よりも高くなるようにしてもよい。
【００６７】
図７は、上部サポート部１２を下部サポート部１１と異なる材料から構成した例を示している。同図に示すヒールカウンタ１０は、上部サポート部１２と、その上に重ねられたヒールカウンタ本体部１３’とからなる２層構造を有している。上部サポート部１２は、ヒールカウンタ本体部１３’の剛性よりも高い剛性を有する部材から構成されている。上部サポート部１２は、踵後端まで延設されており、踵後端に踵サポート部１２ｈを有している。ヒールカウンタ１３’は、その前端部１３’ａが前記第１の実施例の下部サポート部１１としての機能を有している。
【００６８】
この第５の実施例では、上部サポート部１２が変形しにくくなることにより、上部サポート部１２による踵骨ＣＡ上部のホールド性をさらに向上でき、着地時に生じる足の踵部の横ぶれをより確実に規制できるようになる。
＜第６の実施例＞
図８は、本発明の第６の実施例によるヒールカウンタを示している。この第６の実施例では、アッパー３上に補強部材３６が設けられており、上部サポート部１２は補強部材３６の下に取り付けられている。この場合には、上部サポート部１２が補強部材３６で補強されることによって、上部サポート部１２のアッパー外側への変形が抑制されている。
【００６９】
図９は図８の変形例を示している。図８に示す例では、補強部材３６が上部サポート部１２のみに交差するように配設されているが、図９に示す例では、補強部材３７が上部サポート部１２のみならず下部サポート部１１に沿って配設されている。
＜その他の実施例＞
ヒールカウンタは、熱変形材料を加熱して着用者の足の形状に合わせて保形することにより構成するようにしてもよい。この場合には、足とカウンタとの間の隙間がなくなって、足に対するフィット性を向上でき、これにより、ヒールカウンタの上部サポート部の開きを防止できる。
【００７０】
ヒールカウンタ１０の上部サポート部１２は、形状記憶材料から構成されていてもよい。この場合には、上部サポート部１２が変形してもすぐに元の状態に戻ろうとするので、着地時に生じる足の踵部の横ぶれを上部サポート部により確実に抑制できる。
【図面の簡単な説明】
【００７１】
【図１】本発明の第１の実施例によるヒールカウンタが採用されたシューズの内甲側側面断面図であって、ヒールカウンタとシューズ着用者の足の骨格との解剖学的観点からの位置関係を説明するための図である。
【図２】図１のヒールカウンタ部分の拡大図である。
【図３】本発明の第２の実施例によるヒールカウンタの平面概略図である。
【図４】本発明の第３の実施例によるヒールカウンタの側面概略図である。
【図５】本発明の第４の実施例によるヒールカウンタの側面概略図である。
【図６】図５の変形例を示す図である。
【図７】本発明の第５の実施例によるヒールカウンタの側面概略図である。
【図８】本発明の第６の実施例によるヒールカウンタの側面概略図である。
【図９】図８の変形例を示す図である。
【符号の説明】
【００７２】
１：  シューズ
３：  アッパー
３０：  踵後端部
３０ａ：  最突出点
１０：  ヒールカウンタ
１１：  下部サポート部
１２：  上部サポート部
１２ａ：  上縁
１３：  ヒールカウンタ本体部（連結部）
１４：  切欠き
１４ａ：  底部
Ｐ：  シューズ着用者
Ｋ：  踵部
ＣＡ：  踵骨
ＣＡ１：  後方側最突出点
Ｇ：  荷重中心線
Ｌｕ：  上部サポート部前後方向長さ
Ｌｌ：  下部サポート部前後方向長さ
Ｌｎ：  ヒールカウンタ本体部前後方向長さ
Ｌ：  シューズの表示サイズ足長
ｈ：  上部サポート部上縁高さ
【図１】
2008206629.tif 000003
【図２】
2008206629.tif 000004
【図３】
2008206629.tif 000005
【図４】
2008206629.tif 000006
【図５】
2008206629.tif 000007
【図６】
2008206629.tif 000008
【図７】
2008206629.tif 000009
【図８】
2008206629.tif 000010
【図９】
2008206629.tif 000011